(57)【特許請求の範囲】
【請求項１】
移動端局（１）に接続される回線交換網（３）を有し、さらに前記移動端局からインターネット（５）内のストリーミングビデオサーバ（９）へのストリーミングビデオコンテンツの送信のために、一方の側で回線交換網に、他方の側でインターネットに接続されるゲートウェイ（７）を有し、前記ゲートウェイが、回線交換網を介して前記移動端局から受信したストリーミングビデオビットストリームを、インターネットで互換性のあるストリーミングビデオフォーマットのファイルへ変換するように構成した電気通信システムにおいて、
前記電気通信システムは、登録サーバ（８）を有し、この登録サーバ（８）は前記移動端局（１）に接続され、登録サーバ（８）は、移動端局ごとに、移動端局より発信されるインターネットで互換性のあるストリーミングビデオが記憶される、または記憶されることになる前記ストリーミングビデオサーバのインターネット記憶場所のアドレスにリンクされる端局識別子を登録することを特徴とする電気通信システム。
【請求項２】
前記移動端局（１）及びゲートウェイ（７）が、移動端局間でのテレビ会議用のプロトコルに準拠して、ビデオビットストリームを交換することを特徴とする請求項１に記載の電気通信システム。
【請求項３】
前記テレビ会議用のプロトコルがＩＴＵ  Ｈ．３２４Ｍプロトコルであることを特徴とする請求項２に記載の電気通信システム。
【請求項４】
移動端局の端局識別子を検出する手段と、検索された端局識別子に従って、移動端局により発信されるインターネットで互換性のあるストリーミングビデオが記憶されることになるインターネット記憶場所のアドレスを登録サーバ（８）内で検索する手段と、前記インターネット記憶場所のアドレスに前記インターネットで互換性のあるストリーミングビデオを転送する手段とを有することを特徴とする請求項１に記載の電気通信システム。
【請求項５】
端局識別子を検出する前記手段と、インターネット記憶場所のアドレスを登録サーバ内で検索する前記手段と、前記インターネット記憶場所のアドレスに前記インターネットで互換性のあるストリーミングビデオを転送する前記手段とが、前記ゲートウェイ（７）内に設けられていることを特徴とする請求項４に記載の電気通信システム。
【請求項６】
端局識別子を検出する前記手段と、インターネット記憶場所のアドレスを登録サーバ内で検索する前記手段と、前記インターネット記憶場所のアドレスに前記インターネットで互換性のあるストリーミングビデオを転送する前記手段とが、前記登録サーバ内に設けられていることを特徴とする請求項４に記載の電気通信システム。
【請求項７】
端局識別子を検出する前記手段と、インターネット記憶場所のアドレスを登録サーバ内で検索する前記手段と、前記インターネット記憶場所のアドレスに前記インターネットで互換性のあるストリーミングビデオを転送する前記手段とが、異なるサーバ上に分散して設けられていることを特徴とする請求項４に記載の電気通信システム。
【請求項８】
ストリーミングビデオコンテンツを発信する、あるいは発信した前記移動端局にメッセージを送信する手段（１１）を具備し、前記ストリーミングビデオコンテンツが、当該コンテンツの記憶場所へのリンクを含むことを特徴とする請求項４に記載の電気通信システム。
【請求項９】
ストリーミングビデオコンテンツを発信する、あるいは発信した前記移動端局とは異なる１つまたは複数の移動端局にメッセージを送信する手段（１１）を具備し、前記ストリーミングビデオコンテンツが、当該コンテンツの記憶場所へのリンクを含むことを特徴とする請求項４に記載の電気通信システム。
【請求項１０】
コンテンツを発信した移動端局とは異なる１つまたは複数の移動端局への前記メッセージを送信すると共に、前記ストリーミングビデオコンテンツの少なくとも一部を送信する手段（１１）を有することを特徴とする請求項９に記載の電気通信システム。
【請求項１１】
前記メッセージが、電子メールメッセージであることを特徴とする請求項８または９に記載の電気通信システム。
【請求項１２】
前記メッセージが、ＳＭＳメッセージであることを特徴とする請求項８または９に記載の電気通信システム。
【請求項１３】
前記メッセージが、インスタントメッセージ通信メッセージであることを特徴とする請求項８または９に記載の電気通信システム。
【請求項１４】
電気通信システム内で、移動端局（１）に接続される回線交換網（３）を有し、前記移動端局からインターネット（５）内のストリーミングビデオサーバ（９）にストリーミングビデオコンテンツを送信する方法であって、
前記回線交換網を介して前記移動端局から受信されるストリーミングビデオビットストリームを、インターネットで互換性のあるストリーミングビデオフォーマットのファイルへ変換する工程と、
移動端局ごとに、前記移動端局より発信されるインターネットで互換性のあるストリーミングビデオが記憶される、または記憶されることになる前記ストリーミングビデオサーバのインターネット記憶場所のアドレスにリンクされる端局識別子を登録する工程と、
を含むことを特徴とする方法。
【請求項１５】
ビデオビットストリームを交換するために、前記移動端局から受信した前記ビデオビットストリームのフォーマットが、移動端局間のテレビ会議用のプロトコルに準拠していることを特徴とする請求項１４に記載の方法。
【請求項１６】
前記テレビ会議用のプロトコルがＩＴＵ  Ｈ．３２４Ｍプロトコルであることを特徴とする請求項１５に記載の方法。
【請求項１７】
移動端局の端局識別子を検出するステップと、
検出された端局識別子に従って、前記移動端局により発信されたインターネットで互換性のあるストリーミングビデオが記憶されるインターネット記憶場所のアドレスを検索するステップと、
前記インターネットで互換性のあるストリーミングビデオを前記記憶場所のアドレスに転送するステップと、
を有することを特徴とする請求項１６に記載の方法。
【請求項１８】
一方の側で回線交換電気通信網に接続され、他方の側でインターネットに接続されるゲートウェイ（７）を具備する電気通信システムにおいて、
前記回線交換電気通信網（３）が移動端局（１）と接続され、
前記ゲートウェイが、前記移動端局からのストリーミングビデオコンテンツをインターネット（５）内のストリーミングビデオサーバ（９）へ送信すると共に、前記回線交換電気通信網を介して前記移動端局から受信したストリーミングビデオビットストリームを、インターネットで互換性のあるストリーミングビデオフォーマットのファイルへ変換するように構成され、
電気通信システムは、登録サーバ（８）を有し、この登録サーバ（８）は前記移動端局（１）に接続され、登録サーバ（８）は、移動端局ごとに、移動端局より発信されるインターネットで互換性のあるストリーミングビデオが記憶される、または記憶されることになる前記ストリーミングビデオサーバのインターネット記憶場所のアドレスにリンクされる端局識別子を登録することを特徴とする電気通信システム。
【請求項１９】
移動端局間のテレビ会議用のプロトコルに準拠して、ビットストリームを交換することを特徴とする請求項１８に記載の電気通信システム。
【請求項２０】
前記テレビ会議用のプロトコルがＩＴＵ  Ｈ．３２４プロトコルであることを特徴とする請求項１９に記載の電気通信システム。
【請求項２１】
電気通信システムの移動端局は、回線交換電気通信網（３）を介して、ゲートウェイ（７）の一方の側に接続され、このゲートウェイ（７）の他方の側は、インターネットに接続され、
前記ゲートウェイ（７）は、前記移動端局からインターネット（５）内のストリーミングビデオサーバ（９）にストリーミングビデオコンテンツを送信すると共に、前記回線交換網を介して前記移動端局から受信されるストリーミングビデオビットストリームを、インターネットで互換性のあるストリーミングビデオフォーマットのファイルへ変換し、
電気通信システムは、登録サーバ（８）を有し、この登録サーバ（８）は前記移動端局（１）に接続され、登録サーバ（８）は、移動端局ごとに、移動端局より発信されるインターネットで互換性のあるストリーミングビデオが記憶される、または記憶されることになる前記ストリーミングビデオサーバのインターネット記憶場所のアドレスにリンクされる端局識別子を登録することを特徴とする電気通信システム。
【請求項２２】
移動端局間のテレビ会議用のプロトコルに準拠して、ビデオビットストリームを交換することを特徴とする請求項２１に記載の電気通信システム。
【請求項２３】
前記テレビ会議用のプロトコルがＩＴＵ  Ｈ．３２４Ｍプロトコルであることを特徴とする請求項２２に記載の電気通信システム。
【発明の詳細な説明】
【０００１】
【発明の属する技術分野】
本発明は、移動端局からインターネット内のストリーミングビデオサーバにストリーミングビデオコンテンツを送信するシステム及び方法に関わる。本発明は、ストリーミングビデオコンテンツの移動端局への送信に使用されるゲートウェイにも言及する。
【０００２】
【従来の技術】
デジタルカメラとハンディカムの売り上げは急速に拡大している。休日、出張等の間のイベントをリアルタイムで記録するためにこれらのカメラを使用することは、ピクチャまたはショートビデオクリップを電子メールで送信するレベルにある。自国（ｈｏｍｅ）の状況では、人はすでに、例えば自分自身をインターネット上で見てもらうためにいわゆるウェブ（ＷＥＢ）カメラを使用している。ケーブルとＡＤＳＬを介したワイドバンドインターネットアクセスにより、これらのサービスはなおさらに普及している。
【０００３】
【発明が解決しようとする課題】
本発明の目的は、移動端局によりインターネットに発信されるストリーミングビデオコンテンツのアップロードを可能にするために、別の技術分野用に、つまり電話間のテレビ会議用に標準化されたプロトコルを使用する電気通信システムを提供することにある。
【０００４】
【課題を解決するための手段】
本発明は、一方の側で回線交換網に接続され、他方の側でインターネットに接続されるゲートウェイを利用する、移動端局からインターネットストリーミングサーバへのストリーミングビデオ信号の送信に適した電気通信システムを提示し、前記ゲートウェイは、インターネットで互換性のあるストリーミングビデオフォーマットのファイルへの、回線交換網を介して移動端局から受信されるのに適したフォーマットのストリーミングビデオビットストリームの変換に格好である。移動端局間のテレビ会議用に標準化されたプロトコルが好ましくはオプションで利用できるため、現在、このような変換ゲートウェイが移動端局と通信するための標準プロトコルはない。このようなテレビ会議が、テレビ会議がイネーブルされた移動電話を備えた二人またはそれ以上のユーザが互いとテレビ会議を行うことができるアーキテクチャで使用するために開発されたことが注記される。
【０００５】
インターネットサーバまたはクライアントにストリーミングビデオコンテンツをアップロードするためにこのような「テレビ会議プロトコル」を使用できるために、移動端局と前記一方の側にあるゲートウェイは、好ましくは、電話間のテレビ会議用のプロトコルに準拠して、ビデオビットストリームを交換するために適している。ＩＴＵ  Ｈ．３２４Ｍテレビ会議プロトコルは意図されている目的に非常に適している。したがって、本発明の１つの態様は、移動端局によりインターネットに発信されるストリーミングビデオコンテンツのアップロードを可能にするために、別の技術分野用に、つまり電話間のテレビ会議用に標準化されたプロトコルを使用することである。
【０００６】
本発明の第２の態様は、ビデオコンテンツ記憶の管理に対処する。変換されたストリーミングファイルの記憶ターゲットを管理できるために、システムは、好ましくは、例えば前記パケット交換網を介して前記移動端局と接続され、関連する移動端局ごとに端局識別子を登録し、関連する移動端局によって発信されるインターネットで互換性のあるストリーミングビデオが記憶される、あるいは記憶されることになるインターネット記憶場所のアドレスとその識別子をリンクするのに適した登録サーバを有してよい。このような登録サーバの使用を可能とするために、システムは、好ましくは、登録サーバで、その検出される端局識別子により誘導され、関連する移動端局により発信されるインターネットで互換性のあるストリーミングビデオが記憶されることになるインターネット記憶場所のアドレスを検索し、そのインターネット記憶場所アドレスに前記インターネットで互換性のあるストリーミングビデオを転送する手段だけではなく、回線交換網を介して関連する端局の識別子（例えば、その発呼回線識別子、ＣＬＩ）を検出する手段も有する。
【０００７】
好ましくは、関連する端局識別子を検出する前記手段及びインターネット記憶場所のアドレスを登録サーバで検索し、そのインターネット記憶場所アドレスに前記インターネットで互換性のあるストリーミングビデオを転送する前記手段は、変換ゲートウェイ内に位置する。代替策として、前記検出手段、検索手段及び転送手段は登録サーバ内に位置することがある。その場合、ゲートウェイの出力――端局識別子を含む――は、登録サーバに送信される。登録サーバは、続いて、変換されたコンテンツを、関連する記憶領域アドレスを指定する端局識別子によって誘導されて、前記記憶場所に配信する。別のオプションとしては、前記検出手段、検索手段、及び転送手段を任意の他のサーバに位置させる、あるいはそれらの手段をさまざまなサーバ上に分散させることである。
【０００８】
Ｈ．３２４Ｍテレビ会議プロトコルがイネーブルされた電話と組み合わせて提案されているアーキテクチャを用いる場合――変換ゲートウェイと好適登録サーバを除き――標準構成要素を使用して、このような移動電話のそれぞれからインターネットサーバ及びクライアント（例えばＰＣまたは他の移動電話）へ、パーティ、自動車事故などの計画されていたイベント及び計画されていないイベントの「ライブ」放送を実行することが可能である。
【０００９】
電気通信システムは、ストリーミングビデオコンテンツを発信する、あるいは発信した、前記コンテントの記憶場所へのリンクを有する端局にメッセージを送信する手段を有してよい。
【００１０】
それらの手段は、発信側ユーザ端末とは異なる１つまたは複数の他のユーザ端末に同様のメッセージを送信するためにイネーブルされ、前記コンテンツの記憶場所及び／または前記ストリーミングビデオコンテンツ自体の少なくとも一部に対するリンクを有してよい。発信側端末及び／または他の（発信側ではない）端末に対する関連するメッセージは、例えば電子メールメッセージ、「ＳＭＳ」メッセージ、あるいは（例えばＭＳＮまたはＩＣＱをベースにした）「インスタントメッセージ通信」メッセージとして送信されてよい。
【００１１】
【発明の実施の形態】
図１では、端局１は、基地局及び「無線網コントローラ」（ＲＮＣ）２を介して回線交換網（ＣＳＮ）３とパケット交換網（ＰＳＮ）４と接続可能である。ＰＳＮ４を介して、つまりインターネットゲートウェイ（ＩＧ）６（ａ）を介して、該端局１はインターネット（ＩＰ）５をブラウズできる。端局ユーザは、ＰＳＮ４を介して、認証ウェブ（ＷＥＢ）サーバ８（ＡＷＳ）で、「移動ウェブ（ＷＥＢ）カムストリーミング及びメーリングサービス」（ｂ）に加入し、許可されたユーザがＩＰストリーミングサーバ（ＳＳ）９（ｆ）にビデオコンテンツをストリーミングできるようにする。認証ウェブ（ＷＥＢ）サーバ８での加入プロセスの一部はユーザの電話番号とメールアドレスであってよい。
【００１２】
加入中、ユーザは、ｅメールによってあるいはＳＭＳによってユーザに通信されることがある、ストリーミングサーバ９にある（明示的に示されていない）データベース内の場所アドレスを割り当てられる。ユーザが「移動ウェブカミング（ｃａｍｍｉｎｇ）」をしている場合には、該記憶場所がユーザのストリームファイルを格納する。この場所のアドレスはＡＷＳ８にある（明示的に示されていない）データベースに保存される。該場所アドレスはユーザの電話番号にリンクされる。
【００１３】
興味のあるイベントが発生すると、ユーザは端局１を介してＨ．３２４ゲートウェイ７の番号をダイヤルし（ｃ）、その後ユーザはインターネットに「ライブ」でイベントをストリーミングし、それを例えばストリーミングサーバ９（ｅ）に記憶することができる。ストリーミングサーバ９を介してストリーミングを開始する前に、Ｈ．３２４ゲートウェイ７は、認証サーバ８にあるユーザの発呼回線識別子（ＣＬＩ）――ユーザの電話番号――をチェックし、ユーザの該ＣＬＩによって誘導され、アップストリーミングされたコンテンツ（ｄ）のユーザの記憶場所を検索する。インターネット５を介して、ＰＣユーザ１０は、ＰＣストリーミングクライアント（ｇ）を介して、ライブで、あるいは関連する記憶場所にしばらく記憶された後に、ストリーミングサーバ９からアップストリーミングされたコンテンツを表示することができる。
【００１４】
まず最初に、ビデオ録画セッション中、またはビデオ録画セッション後に、ユーザはメッセージサーバ（ＭＳ）１１によって、ユーザの電話１で電子メールまたはＳＭＳメッセージを、あるいは「インスタントメッセージ通信（ＩＭ）を介してユーザのＰＣ１０上で――ＩＰゲートウェイ６とＰＳＮ４を経由して――あるいは記憶されているコンテンツ（ｈ，ｉ）の場所へのリンクを有するユーザのＰＣ１０でメッセージを受信してよい。ユーザの電話にメッセージを送信することに加え、ユーザに関連する記憶領域アドレスを知らせるために，ユーザ自身の他に、他の電話及び／またはＰＣユーザにいつストリーミングビデオの録画が開始するのか、あるいはそれがいつ終了したのかを知らせるオプションをイネーブルすることが好ましい。例えば，ユーザは自分の友人の関心をユーザの移動端末を介して録画されたユーザの最近のビデオに引き付けることができる。通知は、ストリーミングビデオセッションの始まりに、セッション中に、あるいはセッション後に、メッセージサーバ１１を使用してそれらの友人に送信されてよい。特別のオプションとして、ストリーミングビデオファイルまたは（紹介ビデオ「トレーラー」のような）の一部がメッセージの中に組み込まれる、あるいは添付されてよい。
【００１５】
移動端末１からＨ．３２４ゲートウェイ７への呼は、交換６４Ｋｂｉｔチャネルを介して送られてよい。Ｈ．３２４Ｍゲートウェイ７は、既製のＩＳＤＮ接続を介して回線交換網３と接続されてよい。この簡略な接続モデルのため、他のＵＭＴＳ網からＨ．３２４ゲートウェイに接続することが可能である場合がある。
【００１６】
【発明の効果】
本発明は、上述のように構成したので、移動端局によりインターネットに発信されるストリーミングビデオコンテンツのアップロードを可能にするために、別の技術分野用に、つまり電話間のテレビ会議用に標準化されたプロトコルを使用する電気通信システムの実現を可能にした。
【図面の簡単な説明】
【図１】  図１は本発明の好適実施形態のアーキテクチャを示す。
【符号の説明】
１  移動端局
２  無線網コントローラ（ＲＮＣ）
３  回線交換網（ＣＳＮ）
４  パケット交換網（ＰＳＮ）
５  インターネット
７  ゲートウェイ
８  登録サーバ
９  ストリーミングビデオサーバ
【図１】
0003909303.tif 000002